【事件の表示】
　特許第３２２９６８９号「毛髪化粧料」の請求項１に係る特許に対する特許異議の申立てについて、次のとおり決定する。
【結　論】
　訂正を認める。
　特許第３２２９６８９号の請求項１に係る特許を維持する。
【理　由】
１．手続きの経緯
　本件特許第３２２９６８９号の請求項１に係る発明は、平成５年２月９日（優先権主張　平成４年７月２１日）に特許出願（特願平５−２１４５６号）され、平成１３年９月７日に特許権の設定登録がされた。その後、特許異議申立人・大原一、同・袖岡恭子、同・足立友里子により、特許異議の申し立てがなされた。平成１４年７月２５日付け（発送日：平成１４年８月９日）で特許取消理由が通知され、その指定期間内である平成１４年１０月７日付けで訂正請求がなされた。
　
２．訂正請求について
（１）訂正の内容
（イ）訂正事項イ
　特許請求の範囲の
「【請求項１】　次の成分（ａ）、（ｂ）及び（ｃ）：
（ａ）炭素数１２〜４０の直鎖若しくは分岐鎖のアルキル基若しくはアルケニル基を有する脂肪酸若しくはその塩及び当該脂肪酸と多価アルコールから成る脂肪酸エステルから選ばれる一種又は二種以上（ｂ）一般式（１）
【化１】
（式中、Ｒ１は水素原子、メチル基又はメトキシ基を示し、Ｙは単結合又は炭素数１〜３の直鎖もしくは分岐鎖のアルキレン基もしくはアルケニレン基を示し、Ｚは水素原子又は水酸基を示し、ｐ及びｑはそれぞれ０〜５の数を示す）で表わされる芳香族アルコール類の一種又は二種以上（ｃ）カチオン性界面活性剤の一種又は二種以上を含有することを特徴とする毛髪化粧料」
を
「【請求項１】　次の成分（ａ）、（ｂ）及び（ｃ）：
（ａ）炭素数１２〜４０の直鎖若しくは分岐鎖のアルキル基若しくはアルケニル基を有する脂肪酸若しくはその塩及び当該脂肪酸と多価アルコールから成る脂肪酸エステルから選ばれる一種又は二種以上
（ｂ）ベンジルオキシエタノール
（ｃ）カチオン性界面活性剤の一種又は二種以上
を含有することを特徴とする毛髪化粧料」
と訂正する。
　
（２）訂正の可否について
（イ）訂正事項イ
　訂正事項イは、請求項１の一般式（１）で表されていた（ｂ）成分を、一般式（１）中の化合物であるベンジルオキシエタノールに限定するものであるので、特許請求の範囲の減縮を目的とする訂正である。
　請求項１の訂正は、段落番号【００１２】、【００４９】（【表１０】）の記載からみて、願書に添付した明細書に記載した事項の範囲内での訂正である。
　そして、本訂正事項は、実質上特許請求の範囲を拡張し、または変更するものではない。
　
（３）むすび
　したがって、本件訂正は、特許法第１２０条の４第２項並びに同条第３項で準用する同法第１２６条第２項及び第３項の規定に適合するので、訂正を認める。
　
３．特許異議申立についての判断
（１）特許異議申立の概要
　特許異議申立人・大原一（以下、特許異議申立人・甲とする）は、証拠として甲第１号証〜甲第６号証を提出して、特許第３２２９６８９号の請求項１に係る発明は、特許法第２９条第１項第３号の規定に違反してされたものであるから、同第１１３条第１項第２号に該当し、取り消されるべきである旨主張する。
　特許異議申立人・袖岡恭子（以下、特許異議申立人・乙とする）は、証拠として甲第１号証〜甲第２号証を提出して、特許第３２２９６８９号の請求項１に係る発明は、特許法第２９条第１項第３号及び特許法第２９条の２の規定に違反してされたものであるから、同第１１３条第１項第２号に該当し、取り消されるべきである旨主張する。
　特許異議申立人・足立友里子（以下、特許異議申立人・丙とする）は、証拠として甲第１号証〜甲第１４号証を提出して、特許第３２２９６８９号の請求項１に係る発明は、特許法第２９条第１項第３号、特許法第２９条第２項及び特許法第２９条の２の規定に違反してされたものであるから、同第１１３条第１項第２号に該当し、取り消されるべきである旨主張する。
　
（２）本件の請求項に係る発明
  上記２．に示したように、本件訂正は認められるから、訂正後の本件特許の請求項１に係る発明は、訂正明細書の特許請求の範囲の請求項１に記載された次のとおりのものである。
「【請求項１】　次の成分（ａ）、（ｂ）及び（ｃ）：
（ａ）炭素数１２〜４０の直鎖若しくは分岐鎖のアルキル基若しくはアルケニル基を有する脂肪酸若しくはその塩及び当該脂肪酸と多価アルコールから成る脂肪酸エステルから選ばれる一種又は二種以上
（ｂ）ベンジルオキシエタノール
（ｃ）カチオン性界面活性剤の一種又は二種以上
を含有することを特徴とする毛髪化粧料」
　
（３）刊行物に記載された発明
（３）−１
　特許異議申立人・甲が、甲第１号証〜甲第６号証として提出した刊行物には、それぞれ以下の事項が記載されている。
（イ）甲第１号証：特開昭６２−１２６１１２号公報（以下、刊行物１とする。）
（ａ）グリセリル　ステアレイト、クオータニウム−３３（ラノクアット　５０　エメリ　インダストリーズ社製）、フェノキシエタノール（防腐剤）を含有するヘアコンディショナー乳液（第５頁、実施例２）
（ロ）甲第２号証：特開昭６３−３５５１２号公報（以下、刊行物２とする。）
（ａ）市販のコンディショナーとして「ＳＩＬＫＩＥＮＣＥ（登録商標）」が例示され、その組成が、「水、セテス−２、塩化ステアラルコニウム、・・・・、グリセリンステアレート、フェノキシエタノール・・・」を含有すること。（第９頁右上欄第９行〜第１４行）
（ハ）甲第３号証：特開平３−２２３２０７号公報（以下、刊行物３とする。）
（ａ）塩化ステアリルトリメチルアンモニウム、塩化ジステアリルジメチルアンモニウム、ステアリン酸エチレングリコール、イソステアリン酸ジグリセリン、パラオキシ安息香酸エステル・フェノキシエタノール混合物（成和化成社製セイセプト）を含有するトリートメントリンス（第１４頁、実施例４）
（ニ）甲第４号証：特開平４−１３９１１３号公報（以下、刊行物４とする。）
（ａ）「（１）植物タンパク誘導体と、カチオン性界面活性剤と、シリコーンとを含有することを特徴とする毛髪処理剤」（特許請求の範囲第１項）
（ｂ）「このようなカチオン性界面活性剤としては、下記の一般式（Ｖ）で表されるものが挙げられる。・・・このような一般式（Ｖ）で表されるカチオン性界面活性剤の具体例としては、たとえば塩化ステアリルトリメチルアンモニウム、塩化セチルトリメチルアンモニウム、塩化セトステアリルトリメチルアンモニウム、塩化ステアリルビス（ジエチレングリコール）ヒドロキシエチルアンモニウム、塩化べへニルトリメチルアンモニウム、臭化ジステアリルジメチルアンモニウム、塩化ステアリルジメチルベンジルアンモニウム、臭化べへニルトリメチルアンモニウム、ヨウ化セチルトリメチルアンモニウム、塩化オレイルベンジルジメチルアンモニウム、塩化オレイルビス［ポリオキシエチレン（１５ＥＯ）］メチルアンモニウムなどが挙げらる。」（第８頁左上欄第６行〜右上欄末行）（ｃ）塩化ステアリルジメチルベンジルアンモニウム、エチレングリコールジステアレート、ジグリセリンモノイソステアレート、パラヒドロキシ安息香酸エステル・フェノキシエタノール混合物（成和化成社製セイセプト）を含有する毛髪処理剤（ヘアーリンス）（第１３頁、第２表、実施例１、比較例１〜３）
（ｄ）塩化セチルトリメチルアンモニウム、ステアリン酸、パラオキシ安息香酸エステル・フェノキシエタノール混合物（成和化成社製セイセプト）を含有する毛髪処理剤（ヘアークリーム）（第１５頁、第４表、実施例２〜３、比較例４〜５）
（ホ）甲第５号証：「日本化粧品成分表示名称事典」（薬事日報社、発行年不明）第１８６頁（以下、刊行物５とする）
（ａ）クオタニウム−３３が、エチル硫酸ラノリン脂肪酸アミドプロピルエチルジメチルアンモニウムであり、ヘアコンディショニング剤などに配合されること。（第１８６頁右欄、「クオタニウム−３３」の項目）
（ヘ）甲第６号証：「香粧品原料便覧」（フレグランスジャーナル社、１９９１年１２月２５日発行）第３９頁、第４５頁、第４７頁〜第４８頁（以下、刊行物６とする）
（ａ）「エチル硫酸ラノリン脂肪酸アミノプロピルエチルジメチルアンモニウム」が、界面活性剤であること。（第３９頁左欄、「エチル硫酸ラノリン脂肪酸アミノプロピルエチルジメチルアンモニウム（１）」の項目）
（ｂ）「塩化ジステアリルジメチルアンモニウム」が、界面活性剤であること。（第４５頁右欄、「塩化ジステアリルジメチルアンモニウム」の項目）
（ｃ）「塩化ステアリルジメチルベンジルアンモニウム」が、界面活性剤であること。（第４７頁右欄、「塩化ステアリルジメチルベンジルアンモニウム」の項目）
（ｄ）「塩化ステアリルトリメチルアンモニウム」が、界面活性剤であること。（第４７頁右欄、「塩化ステアリルトリメチルアンモニウム」の項目）
（ｅ）「塩化セチルトリメチルアンモニウム」が、界面活性剤であること。（第４８頁左欄〜右欄、「塩化セチルトリメチルアンモニウム」の項目）
　
（３）−２
　特許異議申立人・乙が、甲第１号証〜甲第２号証として提出した刊行物には、それぞれ以下の事項が記載されている。
（イ）特開平２−２７３６１１号公報（以下、刊行物７とする。）
（ａ）「１．組成物の重量を基準にして次の組成：（ａ）アルキルが炭素数１２〜１８である水分散性ジアルキルジメチルアンモニウムハリド、約０．１〜約４．０％；（ｂ）アルキルが炭素数１２〜１８である水分散性アルキルジメチルベンジルアンモニウムハリド、約０．１〜約２．５％；（ｃ）・・・ジアルキルジアリルアンモニウムハリドの水溶性のホモポリマー、約０．１〜約２．０％；及び（ｄ）水、１００％までの残部を有するウェービング前またはくせ直し前のヘアコンディショニング組成物。」（特許請求の範囲第１項）
（ｂ）「コスメチック組成物の保存に用いられる周知の抗菌剤、例えば・・・ベンジルアルコールのいずれも加えることができる。このような抗菌剤は抗菌有効量で用いられる。」（第５頁右下欄第１２行〜第１９行）
（ｃ）ジアルキルジアリルアンモニウムハリドのホモポリマー、スチアリルジメチルベンジルアンモニウムクロリド、ジ（水素化獣脂）ジメチルアンモニウムクロリド、ヒドロキシエチルセルロース、ポリプロピレングリコール（１０単位）メチルグルコースエーテル、グリセリルステアレート、ポリエチレングリコール（１２単位）ジステアレート、セチルアルコール、ステアリルアルコール、蛋白質コンディショナー、保存剤、香料、染料、水を含有するヘアコンディショニングローション。保存剤については、「ベンジルアルコール０．４０％＋メチルクロロイソチアゾロンとメチルイソチアゾロンとの混合物０．０００７５％」であること。（第６頁、例１；第７頁右上欄第８行〜第１３行））
（ロ）甲第２号証：特願平３−１３１２０６号（特開平４−３５６４１３号公報参照）（以下、刊行物８とする。）
（ａ）「亜硫酸塩類、ベンジルアルコール及びカチオン界面活性剤を含有し、且つ、ｐＨが７〜９に調製されていることを特徴とする毛髪用脱染剤。」（特許請求の範囲【請求項１】）
（ｂ）「・・・カチオン界面活性剤の種類としては、通常、第４級アンモニウム塩型のものが望ましく・・・」（段落番号【０００８】）
（ｄ）「また、本発明の脱染剤においては、・・・必要に応じてパラフィン類、ラノリン誘導体エステル類、シリコンオイル類等や、動植物油等の油脂類、プロピレングリコールやグリセリン等の多価アルコール・・・を配合することもできる。」（段落番号【００１３】）
（ｅ）ラウリン酸、ベンジルアルコール、カチオン界面活性剤を含有するクリーム状脱染剤（第４頁、【表１】、比較例１）
　
（３）−３
　特許異議申立人・丙が、甲第１号証〜甲第１４号証として提出した刊行物には、それぞれ以下の事項が記載されている。
（イ）甲第１号証：米国特許第３６５３７９７号明細書（以下、刊行物９とする）
（ａ）benzyl alcohol、stearyl dimethyl benzyl ammonium chloride、Glyceryl monostearateを含有するdye composition（第２欄、EXAMPLE I.及びEXAMPLE II.）
（ハ）甲第３号証：ENCYCLOPEDIA OF SHAMPOO INGREDIENTS、１９８３年、第４１頁（以下、刊行物１１とする。）
（ホ）甲第５号証：国際公開第９１／１６０３２号パンフレット（以下、刊行物１３とする。）
（ａ）Quaternium-18、Glyceryl Monostearate、Phenyl Ethanolを含有するConditioner Composition（第１９頁、Example I）
（ヘ）甲第６号証：特開昭６３−１３５３２０号公報（以下、刊行物１４とする。）
（ａ）「（１）・・・ナフタレン誘導体とベンジルアルコールを含有することを特徴とする染毛剤。」（特許請求の範囲第１項）
（ｂ）「本発明のナフタレン誘導体とベンジルアルコールを含有する染毛料は他に、必要に応じて本発明の目的、効果を損なわない範囲内で、染毛料に通常配合される物質を配合することができる。そのような物質の例を以下に示す。・・・・金属石けん（ミリスチン酸亜鉛、パルミチン酸カルシウム、ステアリン酸アルミニウム等）・・・カプリン酸、ラウリン酸・・・等の高級脂肪酸、・・・ジ−２−エチルヘキサン酸エチレングリコールエステル・・・などの油分、・・・カチオン界面活性剤・・・」（第２頁右下欄下から第２行〜第６頁右上欄下から第６行）、
（ト）甲第７号証：特開平１−３１９４１１号公報（以下、刊行物１５とする。）
（ａ）「本発明は、・・・ポリフェノール化合物と窒素含有化合物とを含有する毛髪用組成物（以下場合により第１組成物という）を提供する。」（第２頁左下欄第４行〜第７行）
（ｂ）「また、本発明は、ポリフェノール化合物とノニオン活性剤とを含有する毛髪用組成物（以下場合により第２組成物という）を提供する。」（第２頁左下欄第８行〜第１０行）
（ｃ）「本発明第１組成物を上記染毛剤第２液として調製する場合、ポリフェノール化合物と窒素含有化合物と他の適宜成分とを常法に従って混合することができる。この場合、上記他の成分としては、流動パラフィン、ワセリン、ステアリン酸、・・・・イソステアリン酸、芳香族一価アルコール（ベンジルアルコール等）、・・・塩化ステアリルトリメチルアンモニウム、・・・ポリオキシエチレン塩化ステアリルトリメチルアンモニウム等のカチオン活性剤・・・等から選ばれる１種又は２種以上のものを適宜用いることができる。」（第３頁右上欄下から第４行〜右下欄第４行）
（ｄ）「本発明第２組成物をヘアクリーム、ヘアリキッド、ヘアスプレー等の泡状整髪料、泡状パーマネントウェーブ、泡状ヘアカラーといった泡状毛髪処理剤に調製する場合、ポリフェノール化合物とノニオン活性剤と他の適宜成分とを常法に従って混合することができる。・・・ベンジルアルコール等の芳香族一価アルコール・・・、ステアリン酸、イソステアリン酸、・・・塩化アルキルトリメチルアンモニウムクロライド、塩化ジアルキルジステアリルアンモニウム等のカチオン活性剤・・・等から選ばれる１種又は２種以上のものを適宜用いることができる。」（第４頁左下欄第８行〜右下欄第１３行）
（チ）甲第８号証：特開平２−７６８０７号公報（以下、刊行物１６とする。）
（ａ）「・・・組成物（Ａ）及び組成物（Ｂ）を混合し、・・・毛髪にパーマネントヘアカラーとパーマネントウエーブ又は縮毛矯正を同時に施す方法。」（特許請求の範囲第７項）
（ｂ）組成物（Ａ）の成分として、ベンジルアルコール、ステアリン酸を含有すること（第２６頁、第２表）
（ｃ）組成物（Ｂ）として、ベンジルアルコール、塩化ラウリルトリメチルアンモニウム、塩化セチルトリメチルアンモニウムを含有すること（第２７頁、第３表）
（ｄ）「・・・本発明は大略して次の如き効果を有するものであって、・・・（２）特定染料の選択と必須成分並びにその他の成分の合理的組合わせによって、毛髪に本質的な損傷を与えることなく、かつ人体に生理上、心理上の悪影響を全く感じさせないで所望の処理をなしうること、」（第２６頁左上欄第１０行〜右上欄第４行）
（リ）甲第９号証：特開平２−１２１９１２号公報（以下、刊行物１７とする。）
（ａ）「組成物は、陰イオン、陽イオン、非イオン、両性界面活性剤またはこれらの混合物もまた含有する、請求項１から１３のいづれか１項に記載の組成物。」（特許請求の範囲第１４項）
（ｂ）「組成物は、その全重量に対して１〜４０重量％の割合の有機溶媒もまた含有する、請求項１から１４のいづれか１項に記載の組成物。」（特許請求の範囲第１５項）
（ｃ）「本発明の染色組成物はその好ましい実施態様において、陰イオン、陽イオン、非イオン、両性界面活性剤またはこれらの混合物もまた含有する。界面活性剤として、・・・第４級アンモニウム塩、例えば、トリメチルセチルアンモニウムの臭化物、セチルピリジニウムの臭化物・・・をあげることができる。」（第６頁右上欄第８行〜左下欄第２行）
（ｄ）「本発明は水中に十分可溶でない化合物を溶解化するための有機溶媒もまた含有してよい。溶媒の例として、・・・ベンジルアルコールまたはフエノキシエタノールのような芳香族アルコール・・・をあげることができる。」（第６頁左下欄第６行〜第１６行）
（ｅ）オレイン酸、ベンジルアルコールを含む染色混合物（第８頁、適用例４）
（ヌ）甲第１０号証：特開平２−１７１８２１６号公報（以下、刊行物１８とする。）
（ａ）「次の３成分（Ａ）、（Ｂ）及び（Ｃ）・・・及び／又は芳香族アルコールを含有することを特徴とする加温式毛髪処理剤」（特許請求の範囲第１項）
（ｂ）「また、（ｃ）成分のうちの芳香族アルコールとしては、・・・ベンジルアルコールが好ましい。」（第６頁左下欄第９行から右下欄第１行）
（ｃ）「更に本発明の加温式毛髪処理剤には、本発明の効果を妨げない範囲において、従来公知の他の成分を添加配合することができる。他の成分としては、・・・カチオン性、アニオン性、両性の界面活性剤、尿素、シリコーン、ステアリン酸アルミニウム・・・等が挙げられる。」（第７頁左下欄第５行〜右下欄第２行）
（ｄ）ベンジルアルコール、塩化ステアリルトリメチルアンモニウムを含有する加温式毛髪処理剤（第１０頁、実施例２）
（ｅ）「本発明の加温式毛髪処理剤を使用すれば・・・毛髪の感触を半永久的改善し、更には、半永久的なウエーブを施すことができる。又、．．．毛髪損傷を軽減することができる・・・」（第８頁左上欄下から第２行〜右上欄第５行）
（ル）甲第１１号証：特開平３−４４３１４号公報（以下、刊行物１９とする。）
（ａ）「・・・を必須成分として含み、非イオン界面活性剤、陽イオン界面活性剤、および両性界面活性剤のいずれかにより乳化され、・・・酸性染料用染毛助剤。」（特許請求の範囲第１項）
（ｂ）「本発明に使用する界面活性剤は、非イオン界面活性剤、陽イオン界面活性剤、両性界面活性剤のいずれもが使用または併用できる。具体的には・・・モノステアリン酸グリセリン、モノステアリン酸ソルビタン、・・・塩化ジステアリルメチルアンモニウム、塩化ベンザルコニウム・・・などが挙げられる。」（第２頁右下欄下から第５行〜第３頁左上欄第７行）
（ｃ）「この他、本発明の乳化組成物から成る染毛肋剤には、通常の化粧品に使用する増粘剤が使用できる。例えば、・・・ステアリン酸などの高級脂肪酸類・・・などが挙げられる。」（第３頁左下欄第３行〜第１１行）
（ｄ）ソルビタンモノオレエートを含有する染毛助剤（第４頁、実施例１）；実施例１の染毛助剤で、ｎ−ブタノール５ｇの代わりにｎ−ブタノール２ｇ及びベンジルアルコール３ｇを使用した染毛助剤（第５頁、実施例２）；実施例１の染毛助剤で、ｎ−ブタノール５ｇの代わりにｎ−ブタノール１ｇ及びベンジルアルコール４ｇを使用した染毛助剤（第５頁、実施例２）
（ヲ）甲第１２号証：特願平３−１３１２０６号（特開平４−３５６４１３号公報参照）（以下、刊行物２０とする。）
　特許異議申立人・乙の提出した甲第２号証に同じ。
（ワ）甲第１３号証：特開平４−１３９１１３号公報
　特許異議申立人・甲の提出した甲第４号証に同じ。
（カ）甲第１４号証：CTFA Cosmetic Ingredient Dictionary（１９８２年）第２６７頁〜第２６８頁（以下、刊行物２０とする。）　
　　　
（４）対比・判断
（イ）特許法第２９条第１項第３号、同第２９条第２項について
（ａ）本件発明は、（ａ）成分、（ｂ）成分及び（ｃ）成分の三成分を必須の成分とする毛髪化粧料に係るものである。このうち、（ｂ）成分としては、「ベンジルオキシエタノール」を含有することを特定するものである。
（ｂ）上記刊行物１〜７、９〜２０には、「ベンジルオキシエタノール」を含有する毛髪化粧料に係る発明は記載されていないし、示唆もされていない。また、当該刊行物には、フェノキシエタノールまたはベンジルアルコールを含有する毛髪剤は記載されている（例えば、フェノキシエタノールについては、刊行物１（（３）−１（イ）（ａ）参照）、刊行物１０（（３）−３（ロ）（ａ）参照）など。ベンジルアルコールについては、刊行物９（（３）−３（イ）（ａ）参照）など。）が、斯かる毛髪剤において、フェノキシエタノールあるいはベンジルアルコールに替えて、ベンジルオキシエタノールを使用することは、記載も示唆もされていない。そして、フェノキシエタノールあるいはベンジルアルコールをベンジルオキシエタノールに替えることが容易であるとする証拠は提出されていない。
（ｃ）そうしてみると、本件発明は、刊行物１〜７、９〜２０に記載された発明であるとすることができないし、刊行物１〜７、９〜２０に記載された発明に基づいて容易に想到しうる程度のものとすることもできない。
　
（ロ）特許法第２９条の２について
（ａ）特許異議申立人・乙、同・丙は、本件発明は、本件の出願前に出願され本件の出願後に出願公開された特許出願の願書に最初に添付された明細書（刊行物８参照）に記載された発明と同一である旨を主張する。
（ｂ）しかしながら、上記明細書には、「ベンジルオキシエタノール」を使用する発明は記載されていない。
　したがって、本件発明を、本件の出願前に出願され本件の出願後に出願公開された特許出願の願書に最初に添付された明細書に記載された発明と同一であるとすることができない。
　
４．むすび
　以上のとおりであるから、上記特許異議申立の各理由及び各証拠によっては、本件特許の請求項１に係る発明についての特許を取り消すことができない。
　また、他に本件特許の請求項１に係る発明についての特許を取り消すべき理由を発見しない。
　よって、結論のとおり決定する。
【異議決定日】
平成１４年１０月２１日（２００２．１０．２１）
【訂正の要旨】
訂正の要旨
１．「【請求項１】　次の成分（ａ）、（ｂ）及び（ｃ）：
（ａ）炭素数１２〜４０の直鎖若しくは分岐鎖のアルキル基若しくはアルケニル基を有する脂肪酸若しくはその塩及び当該脂肪酸と多価アルコールから成る脂肪酸エステルから選ばれる一種又は二種以上（ｂ）一般式（１）
　【化１】
（式中、Ｒ１は水素原子、メチル基又はメトキシ基を示し、Ｙは単結合又は炭素数１〜３の直鎖もしくは分岐鎖のアルキレン基もしくはアルケニレン基を示し、Ｚは水素原子又は水酸基を示し、ｐ及びｑはそれぞれ０〜５の数を示す）で表わされる芳香族アルコール類の一種又は二種以上（ｃ）カチオン性界面活性剤の一種又は二種以上を含有することを特徴とする毛髪化粧料」
を、減縮を目的に、
「【請求項１】　次の成分（ａ）、（ｂ）及び（ｃ）：
（ａ）炭素数１２〜４０の直鎖若しくは分岐鎖のアルキル基若しくはアルケニル基を有する脂肪酸若しくはその塩及び当該脂肪酸と多価アルコールから成る脂肪酸エステルから選ばれる一種又は二種以上
（ｂ）ベンジルオキシエタノール
（ｃ）カチオン性界面活性剤の一種又は二種以上
を含有することを特徴とする毛髪化粧料」
と訂正する。
（５４）【発明の名称】
毛髪化粧料
（５７）【特許請求の範囲】
　【請求項１】　次の成分（ａ）、（ｂ）及び（ｃ）：
（ａ）炭素数１２〜４０の直鎖若しくは分岐鎖のアルキル基若しくはアルケニル基を有する脂肪酸若しくはその塩及び当該脂肪酸と多価アルコールから成る脂肪酸エステルから選ばれる一種又は二種以上
（ｂ）ベンジルオキシエタノール
（ｃ）カチオン性界面活性剤の一種又は二種以上
を含有することを特徴とする毛髪化粧料。
【発明の詳細な説明】
　【０００１】
　【産業上の利用分野】
　本発明は毛髪化粧料に関し、更に詳細には、コンディショニング効果に優れるとともに、毛髪に弾力性を付与し、また毛髪損傷防止効果及びウェーブ、カールを美しく保つ効果に優れた毛髪化粧料に関する。
　【０００２】
　【従来の技術】
　従来、毛髪化粧料には、毛髪の感触を良好にするため、モノ又はジ直鎖型長鎖アルキル第４級アンモニウム塩やモノ又はジ分岐型長鎖アルキル第４級アンモニウム塩等のカチオン性界面活性剤が配合されており、更に良好な感触を得るため、斯かるカチオン性界面活性剤に高級アルコール、グリセライド、流動パラフィン等の油脂類などを併用することも行われている。
　一方、毛髪に弾力性を付与する方法としては、例えば毛髪化粧料に高分子物質を添加して、当該高分子物質を毛髪表面に吸着させることにより毛髪に弾力を与える方法；毛髪化粧料中に収れん剤を配合して毛髪を収れんさせる方法等が知られている。
　【０００３】
　【発明が解決しようとする課題】
　しかしながら、これら従来の毛髪化粧料は毛髪の感触、すなわちコンディショニング効果である柔軟性、しっとり感、平滑性及び帯電防止効果が不充分であるという欠点があった。このため、感触のうちしっとり感については、油脂類を併用することで補う方法がとられているが、この方法はべたつき、油っぽさをともない、特に損傷毛髪に対して乾燥状態でのコンディショニング効果が不充分であるという問題を未だに有していた。また、従来の毛髪化粧料は損傷防止効果及びウェーブ、カールを美しく保つ効果も充分なものではなかった。更に、これらの効果と同時に毛髪の弾力性を向上させることは不可能であった。
　【０００４】
　従って、べたつき感及び油っぽさがなく、しっとり感等のコンディショニング効果に優れるとともに、弾力性を回復し、かつ充分な損傷防止効果及びウェーブ、カールを美しく保つ効果を有する毛髪化粧料の開発が望まれていた。
　【０００５】
　【課題を解決するための手段】
　かかる実情において、本発明者らは鋭意研究を行った結果、カチオン性界面活性剤と、特定の脂肪酸、その塩又はそのエステル及び芳香族アルコール類を組合わせて用いれば、脂肪酸、その塩又はそのエステルが毛髪に浸透し、洗髪時やブラッシング時の損傷を防止するばかりでなく、乾燥状態においても、弾力性があり、しっとり柔らかく、平滑性等に優れたコンディショニング効果や、ウェーブ、カールを美しく保つ効果に優れた毛髪化粧料が得られることを見出し、本発明を完成した。
　【０００６】
　すなわち、本発明は、次の成分（ａ）、（ｂ）及び（ｃ）：
（ａ）炭素数１２〜４０の直鎖若しくは分岐鎖のアルキル基若しくはアルケニル基を有する脂肪酸若しくはその塩及び当該脂肪酸と多価アルコールから成る脂肪酸エステルから選ばれる一種又は二種以上
（ｂ）一般式（１）
　【化２】
　（式中、Ｒ１は水素原子、メチル基又はメトキシ基を示し、Ｙは単結合又は炭素数１〜３の直鎖若しくは分岐鎖のアルキレン基若しくはアルケニレン基を示し、Ｚは水素原子又は水酸基を示し、ｐ及びｑはそれぞれ０〜５の数を示す）
で表わされる芳香族アルコール類の一種又は二種以上
（ｃ）カチオン性界面活性剤の一種又は二種以上
を含有することを特徴とする毛髪化粧料を提供するものである。
　【０００７】
　本発明で用いられる（ａ）成分の脂肪酸は、炭素数１２〜４０の直鎖又は分岐鎖のアルキル基又はアルケニル基を有するものであり、例えばラウリン酸、トリデカン酸、ミリスチン酸、ペンタデカン酸、パルミチン酸、ヘプタデカン酸、ステアリン酸、ノナデカン酸、イコサン酸、ヘンイコサン酸、ベヘニン酸、リグノセリン酸、セロチン酸、モンタン酸、メリシン酸、ラクセロン酸、ゲーダ酸、ラウロレイン酸、ミリストレイン酸、パルミトレイン酸、オレイン酸、ガドレイン酸、エルカ酸、リノール酸、リノレン酸、２−ヘプチルウンデカン酸、２−イソヘプチルイソウンデカン酸、イソステアリン酸（例えばエメリー　インダストリーズ社、ユニオン　キャンプ　コーポレーション社製）、１８−メチルイコサン酸、２−オクチルアラキン酸、２−メチルステアリン酸、２−デシルドデカン酸、２−ドデシルテトラデカン酸、２−テトラデシルヘキサデカン酸、２−ヘキサデシルオクタデカン酸、２−オクタデシルイコサン酸、３−ペンチルオクタン酸、３−ヘプチルデカン酸、３−ノニルドデカン酸、３−ウンデシルテトラデカン酸、３−トリデシルヘキサデカン酸、２−オクチルドデカン酸、２−ペンチルノナン酸、２−ヘキシルデカン酸、１２−ヒドロキシステアリン酸等が挙げられる。
　【０００８】
　これらの脂肪酸のうち、特に炭素数１８〜２５のもの、就中、イコサン酸、ヘンイコサン酸、ベヘニン酸、リグノセリン酸、２−ヘプチルウンデカン酸、２−イソヘプチルイソウンデカン酸、イソステアリン酸、１８−メチルイコサン酸、３−ノニルドデカン酸、３−ウンデシルテトラデカン酸、２−メチルステアリン酸が好ましい。
　【０００９】
　また、これらの脂肪酸の塩としては、例えばナトリウム、リチウム、カリウム等のアルカリ金属塩、カルシウム、マグネシウム等のアルカリ土類金属塩、アンモニア、トリエタノールアミン、ジエタノールアミン、モノエタノールアミン等の有機アミン塩、リジン、アルギニン塩等の塩基性アミノ酸塩などが挙げられる。
　【００１０】
　また、前記脂肪酸エステルを構成する多価アルコールとしては、グリセリン、ジグリセリン、トリグリセリン、テトラグリセリン、ポリグリセリン（重合度５以上）、エリスリトール、ペンタエリスリトール、ソルビトール、マルチトール、マンニトール、糖アルコール、エチレングリコール、プロピレングリコールなどが挙げられる。
　【００１１】
　（ａ）成分の脂肪酸、その塩又はその脂肪酸エステルは、一種又は二種以上を組合わせて用いることができ、全組成中に０．１〜２０重量％（以下、単に％で示す）、特に０．５〜１０．０％配合するのが好ましい。０．１％未満では充分な効果が得られず、２０％を超えるとべたついて感触が悪くなるので好ましくない。
　【００１２】
　また、（ｂ）成分の芳香族アルコール類は前記一般式（１）で表わされるものであり、例えばベンジルアルコール、シンナミルアルコール、フェネチルアルコール、ｐ−アニシルアルコール、ｐ−メチルベンジルアルコール、フェノキシエタノール、２−ベンジルオキシエタノール等が挙げられる。これらのうち、特に、２−ベンジルオキシエタノールが好ましい。
　これらの芳香族アルコール類は、一種又は二種以上を組合わせて用いることができ、全組成中に０．１〜５０％、特に１〜３０％配合するのが好ましい。０．１％未満では本発明の効果が得難く、５０％を超えると系の安定性が悪くなる傾向にある。
　【００１３】
　また、本発明の毛髪化粧料には、これら芳香族アルコール類の溶解性を向上させるため、通常用いられる低級アルコール、低級ポリオールを配合することができる。かかる低級アルコールとしては、例えばエタノール、イソプロパノール、ｎ−プロパノール、ｎ−ブタノール、イソブタノール等が挙げられ、低級ポリオールとしては、例えばエチレングリコール、プロピレングリコール、１，３−ブタンジオール、グリセリン等が挙げられる。
　【００１４】
　本発明の（ｃ）成分であるカチオン性界面活性剤としては、通常の毛髪化粧料に用いられるものであれば特に制限されないが、例えば次の一般式（２）、（３）で表わされる第４級アンモニウム塩等が挙げられる。
　【００１５】
　【化３】
　【００１６】
（式中、Ｒ２、Ｒ３、Ｒ４及びＲ５のうち、少なくとも１個は総炭素数８〜２８の、アルコキシ基、アルケニルオキシ基、アルカノイルアミノ基又はアルケノイルアミノ基で置換されていてもよいアルキル基又はアルケニル基を示し、残余はベンジル基、炭素数１〜５のアルキル基又はヒドロキシアルキル基を示し、Ｘ−はハロゲンイオン又は有機アニオンを示す）
　【００１７】
　【化４】
　【００１８】
（式中、Ｒ２及びＲ３のうち、少なくとも１個は総炭素数８〜２８の、アルコキシ基、アルケニルオキシ基、アルカノイルアミノ基又はアルケノイルアミノ基で置換されていてもよいアルキル基又はアルケニル基を示し、残余はベンジル基、炭素数１〜５のアルキル基又はヒドロキシアルキル基を示し、Ｒ６は炭素数２〜３のアルキレン基を示し、Ｘ−はハロゲンイオン又は有機アニオンを示し、ｒは１〜２０の整数を示す）
　【００１９】
　これらのカチオン性界面活性剤のうち、特に前記一般式（２）で表わされる第４級アンモニウム塩が好ましく、更に一般式（２）の好ましいものとしては、例えば次の一般式（４）〜（６）で表わされる分岐第４級アンモニウム塩が挙げられる。
　【００２０】
　【化５】
　【００２１】
　【化６】
、ｍはアルキル基中の合計炭素数が８〜１６となる整数を示す）で表わされる分岐アルキル基及び（Ｂ）ＣＨ３−（ＣＨ２）ｎ―（ｎは７〜１５の整数を示す）で表わされる直鎖アルキル基の混合物で、その分岐率（Ａ）／（Ａ）＋（Ｂ）が１０〜１００％である基を示し、Ｒ８及びＲ９はベンジル基、炭素数１〜３のアルキル基又はヒドロキシアルキル基を示し、Ｒ１０及びＲ１１は炭素数２〜１２のアルキル基を示し
の整数、ｔは３〜１１の整数でｓとｔの和が９〜２１となる数を示し、Ｘ−はハロゲンイオン又は有機アニオンを示す〕
　【００２２】
　これらのうち、一般式（４）で表わされる分岐第４級アンモニウム塩は、例えば通常、炭素数８〜１６のオキソアルコールを原料として合成されるものであり、その例としては、オキソアルコールから導かれるアルキル基を有するジアルキルジメチルアンモニウム塩、ジアルキルメチルヒドロキシエチルアンモニウム塩、ジアルキルメチルベンジルアンモニウム塩等が挙げられる。
　本発明においては、式（４）のＲ７の分岐率が、通常１０〜１００％のものが用いられるが、特に１０〜５０％のものが好ましい。また、Ｒ７の合計炭素数が８〜１６のものが用いられるが、一定の分布を持ったものが好ましく、特に以下に示す分布を有するものが好ましい。
　【００２３】
　【表１】
　　Ｃ８〜Ｃ１１：５％以下
　　Ｃ１２　　　：１０〜３５％
　　Ｃ１３　　　：１５〜４０％
　　Ｃ１４　　　：２０〜４５％
　　Ｃ１５　　　：５〜３０％
　　Ｃ１６　　　：５％以下
　【００２４】
　斯かる分岐第４級アンモニウム塩の具体例としては、炭素数８〜１６で分岐率１０〜５０％のアルキル基を有する、ジアルキルジメチルアンモニウムクロリドが挙げられる。
　【００２５】
　また、一般式（５）で表わされる分岐第４級アンモニウム塩は通常、炭素数８〜２８のゲルベアルコール
　【００２６】
　【化７】
　【００２７】
　この分岐第４級アンモニウム塩のうち、好ましいものとしては、例えばゲルベアルコールから導かれるアルキル基を有するアルキルトリメチルアンモニウム塩、アルキルジメチルベンジルアンモニウム塩、ジアルキルジメチルアンモニウム塩、ジアルキルメチルヒドロキシエチルアンモニウム塩、ジアルキルメチルベンジルアンモニウム塩等が挙げられる。更に、これらのうちで特に好ましいものとしては、例えば２−デシルテトラデシルトリメチルアンモニウムクロリド、２−ドデシルヘキサデシルトリメチルアンモニウムクロリド、ジ−２−ヘキシルデシルジメチルアンモニウムクロリド、ジ−２−オクチルドデシルジメチルアンモニウムクロリド等を挙げることができる。
　【００２８】
　また、一般式（６）で表わされるメチル分岐第４級アンモニウム塩としては、ｓとｔの和が１５となるものが好ましい。
　【００２９】
　更に、一般式（２）、（３）、（４）、（５）及び（６）で表わされる第４級アンモニウム塩の対イオンであるＸ−の具体例としては、塩素、ヨウ素、臭素等のハロゲンイオン；メトサルフェート、エトサルフェート、メトフォスフェート、エトフォスフェート等の有機アニオンが挙げられる。
　【００３０】
　（ｃ）成分のこれらカチオン性界面活性剤は、一種又は二種以上を組合わせて用いることができ、全組成中に０．０１〜２０．０％、特に０．２〜１０．０％配合するのが好ましい。０．０１％未満では本発明の効果が得られず、２０．０％を超えるとべたついて感触が悪化するため好ましくない。
　【００３１】
　なお、本発明の毛髪化粧料には上記必須成分の他に、その用途に応じて毛髪化粧料に通常使用される成分を適宜配合することができる。
　本発明毛髪化粧料には、例えば、アルキルベンゼンスルホン酸塩、アルキルエーテル硫酸塩、オレフィンスルホン酸塩、α−スルホ脂肪酸エステル、アミノ酸型界面活性剤、リン酸エステル系界面活性剤、スルホコハク酸エステル系界面活性剤等のアニオン界面活性剤；スルホン酸型界面活性剤、ベタイン型界面活性剤、アルキルアミンオキサイド、イミダゾリン型界面活性剤等の両性界面活性剤；ポリオキシエチレンアルキルエーテル、ポリオキシエチレンアルキルフェニルエーテル、アルカノールアミド及びそのアルキレンオキサイド付加物、ソルビタン脂肪酸エステル類、アルキルサッカライド系界面活性剤等の非イオン界面活性剤などの一種又は二種以上を組合わせ、各種毛髪処理剤の性能に合わせて用いることができる。特に、本発明毛髪化粧料がシャンプーである場合には、皮膚や毛髪に対する刺激性を考慮して、上記の界面活性剤の中でもアミノ酸系界面活性剤、リン酸エステル系界面活性剤、α−スルホ脂肪酸エステル、イミダゾリン型界面活性剤、アルキルサッカライド系界面活性剤等を用いることが好ましい。本発明の毛髪化粧料には、これらの界面活性剤は通常０．０１〜４０．０％配合されるのが好ましく、特に洗浄剤の場合には５〜３０％、その他の毛髪化粧料の場合には、特に０．０５〜２０．０％配合されることが好ましい。
　【００３２】
　また、本発明毛髪化粧料には毛髪や皮膚の感触を向上させるために、カチオン化セルロース誘導体、カチオン性澱粉、カチオン化グアーガム誘導体、ジアリル４級アンモニウム塩／アクリルアミド共重合物、４級化ポリビニルピロリドン誘導体、ポリグリコールポリアミン縮合物等のカチオン性ポリマーの一種又は二種以上を配合することができる。これらカチオン性ポリマーの好ましい具体例としては、例えば分子量約１０００００〜３００００００のカチオン化セルロース、カチオン化度約０．０１〜１のカチオン化澱粉、カチオン化度約０．０１〜１のカチオン化グアーガム（セラニーズ社製，ジャグァー等）、分子量約３００００〜２００００００のジアリル４級アンモニウム塩／アクリルアミド共重合体、分子量約１００００〜２００００００でビニル重合体中のカチオン性窒素含有量が０．００４〜０．２％である４級化ポリビニルピロリドン誘導体、炭素数６〜２０のアルキル基を有するポリグリコールポリアミン縮合物、アジピン酸／ジメチルアミノヒドロキシプロピルジエチレントリアミン共重合体（サンドス社製，カルタレチン等）の他、特開昭５３−１３９７３４号公報、特開昭５８−５３９９６号公報、特開昭６０−３６４０７号公報、特開平１−１１７８２１号公報に記載のカチオン性ポリマーが挙げられる。本発明の毛髪化粧料には、カチオン性ポリマーは０．０５〜２０．０％、特に０．１〜１０．０％配合されることが好ましい。
　【００３３】
　また、本発明の毛髪化粧料には、更に毛髪や皮膚の感触を向上させるために、ジメチルポリシロキサン、メチルフェニルポリシロキサン、アミノ変性シリコーン、カルボキシ変性シリコーン、脂肪酸変性シリコーン、アルコール変性シリコーン、脂肪族アルコール変性シリコーン、ポリエーテル変性シリコーン、エポキシ変性シリコーン、フッ素変性シリコーン、環状シリコーン、アルキル変性シリコーン等のシリコーン誘導体の一種又は二種以上を配合することができる。斯かるシリコーン誘導体は、それぞれ単体であっても、また特公昭５６−３８６０９号公報に記載の方法に従って乳化重合されたラテックス組成物であってもよい。これらシリコーン誘導体のうち、ジメチルポリシロキサン（重合度５００以上）、ポリエーテル変性シリコーン、アミノ変性シリコーン、環状シリコーン等が毛髪に対して良い感触を付与するため、特に好ましい。本発明の毛髪化粧料には、シリコーン誘導体は０．０１〜２０．０％、特に０．０５〜１０．０％配合されることが好ましい。
　【００３４】
　更に、本発明化粧料には、毛髪化粧料に通常使用される成分、例えばアルキルアミンオキサイド、脂肪酸アルカノールアミド、スクワレン、ラノリン等の感触向上剤；プロピレングリコール、グリセリン、ジエチレングリコールモノエチルエーテル、ソルビトール、次の一般式（７）
　【００３５】
　【化８】
　【００３６】
〔式中、Ｒ１５は炭素数１０〜２６の直鎖又は分岐鎖の飽和又は不飽和の炭化水素基を示し、Ｒ１６は炭素数９〜２５の直鎖又は分岐鎖の飽和又は不飽和の炭化水素基を示し、Ａは−（ＣＨ２）ｕ−（ここで、ｕは２〜６の整数を示す）を示す〕
で表わされるアミド誘導体等の保湿剤；メチルセルロース、カルボキシビニルポリマー、ヒドロキシエチルセルロース、ポリオキシエチレングリコールジステアレート、エタノール等の粘度調整剤；パール化剤；香料；色素；紫外線吸収剤；酸化防止剤；トリクロサン、トリクロロカルバン等の殺菌剤；グリチルリチン酸カリウム、酢酸トコフェロール等の抗炎症剤；ジンクピリチオン、オクトピロックス等の抗フケ剤；メチルパラベン、ブチルパラベン等の防腐剤；その他Ｅｎｃｙｃｌｏｐｅｄｉａ　ｏｆ　Ｓｈａｍｐｏｏ　Ｉｎｇｒｅｄｉｅｎｔｓ（Ｍｉｃｅｌｌｅ　Ｐｒｅｓｓ，１９８５）に収載されている成分などを、本発明の効果を損なわない範囲において任意に添加することも可能である。
　【００３７】
　本発明の毛髪化粧料は、常法に従って製造することができ、通常の毛髪化粧料に用いられる公知の酸性若しくはアルカリ性薬剤により、ｐＨ２〜１０、特にｐＨ３〜８に調整するのが好ましい。
　【００３８】
　本発明の毛髪化粧料は、毛髪に適用される化粧料のすべてを指し、この中には例えばプレシャンプー剤、シャンプー、ヘアリンス、ヘアコンディショナー、ヘアトリートメント、セットローション、ブロースタイリングローション、ヘアスプレー、泡状スタイリング剤、ジェル状スタイリング剤、ヘアリキッド、ヘアトニック、ヘアクリーム、パーマネントウェーブ第１剤、パーマネントウェーブ第２剤、永久染毛剤、一時染毛剤等が含まれる。
　また、剤型としてもその用途に応じて水溶液、エタノール溶液、エマルジョン、サスペンジョン、ゲル、液晶、固型、エアゾール等の各種形態とすることができる。
　【００３９】
　【実施例】
　次に実施例を挙げて本発明を説明するが、本発明はこれらの実施例により限定されるものではない。
　【００４０】
実施例１
　表６〜１２に示す組成の毛髪化粧料を製造し、その性能評価試験を行った。その結果を表６〜１２に示す。
評価法：
　コールドパーマ、ブリーチ等の美容処理を行った日本人女性の毛髪約２０ｇ（約１５〜２０ｃｍ）を束ね、シャンプーで洗浄後この毛髪に毛髪化粧料２ｇを均一に塗布し、次いで３０秒間流水ですすぎ流した後、タオルドライを行い、更にドライヤー乾燥を行って毛髪の弾力性、柔軟性、油性感、しっとり感、平滑性、枝毛発生度及びウェーブを美しく保つ効果について下記の基準で評価を行った。
　【００４１】
　【表２】
（１）弾力性
　　◎：非常にある。
　　○：ある。
　　△：どちらともいえない。
　　×：ない。
（２）柔軟性
　　◎：非常に柔らかい。
　　○：柔らかい。
　　△：硬いとも、柔らかいともいえない。
　　×：硬い。
（３）油性感
　　◎：非常に少ない。
　　○：少ない。
　　△：どらちともいえない。
　　×：多い。
（４）しっとり感
　　◎：非常にある。
　　○：ある。
　　△：どちらともいえない。
　　×：ない。
（５）平滑性
　　◎：非常にある。
　　○：ある。
　　△：どちらともいえない。
　　×：ない。
　【００４２】
（６）枝毛発生度
　評価法と同様な処理を行った毛束で、一定回数ブラッシングした後の枝毛発生度をブラッシング前と比較して下記の基準で評価した。
　【表３】
　　◎：枝毛の増加が認められない。
　　○：枝毛の増加がほとんど認められない。
　　△：枝毛の増加がやや認められる。
　　×：枝毛の増加が多い。
　【００４３】
（７）ウェーブを美しく保つ効果
　今迄にコールドパーマ、ブリーチ等の美容処理を行ったことのない日本人女性毛髪約５ｇ（約２０〜３０ｃｍ）を束ね、ウェーブ状になる様、コールドパーマをかける。この毛髪に、約４０℃の温水を含ませた後、毛髪化粧料０．２５ｇ又は０．５ｇをまんべんなく塗布して処理を行い、毛髪を流水ですすぎ、自然乾燥後のウェーブのでかたを下記の基準で評価した。
　【表４】
　　◎：非常に美しくウェーブがでている。
　　○：美しくウェーブがでている。
　　△：美しくないがウェーブがでている。
　　×：ウェーブがでていない。
　【００４４】
（８）脂質残留量
　コールドパーマ、ブリーチ等の美容処理を行った日本人女性の毛髪約１ｇを束ねシャンプーで洗浄後、この毛髪に毛髪化粧料５ｇを均一に塗布し、６０℃で４時間放置した。次いで、この毛髪を流水で３０秒すすぎ、シャンプーで洗浄後、ドライヤー乾燥した毛髪をドーニング法に従って処理し、ＧＣ法により脂質類を定量後に下記の基準で評価した。
　【表５】
　　○：脂質残留量５０００μｇ／ｇ（毛髪）を超える
　　△：脂質残留量１０００〜５０００μｇ／ｇ（毛髪）
　　×：脂質残留量１０００μｇ／ｇ（毛髪）未満
　【００４５】
　【表６】
　【００４６】
　【表７】
　【００４７】
　【表８】
　【００４８】
　【表９】
　【００４９】
　【表１０】
　【００５０】
　【表１１】
　【００５１】
　【表１２】
　【００５２】
実施例２
　ヘアリンス剤組成物：
　下記の組成のヘアリンス剤組成物を常法により製造した。
　【表１３】
　【００５３】
実施例３
　スタイリングローション剤組成物：
　下記の組成のスタイリングローション剤組成物を常法により製造した。
　【表１４】
　【００５４】
実施例４
　コンディショニングフォーム剤組成物：
　下記の組成のコンディショニングフォーム剤組成物を常法により製造した。
　【表１５】
　【００５５】
実施例５
　パーマネントウェーブ第１剤：
　下記の組成のパーマネントウェーブ第１剤を常法により製造した。
　【表１６】
　【００５６】
実施例６
　パーマネントウェーブ第２剤：
　下記の組成のパーマネントウェーブ第２剤を常法により製造した。
　【表１７】
　【００５７】
実施例７
　シャンプー組成物：
　下記の組成のシャンプー組成物を常法により製造した。
　【表１８】
　【００５８】
実施例８
　ヘアトリートメント組成物：
　下記の組成のヘアトリートメント組成物を常法により製造した。
　【表１９】
　【００５９】
実施例９
　コンディショニング剤組成物：
　下記の組成のコンディショニング剤組成物を常法により製造した。
　【表２０】
　【００６０】
　【発明の効果】
　本発明の毛髪化粧料は、べたつき感や油っぽさがなく、しっとり感、柔軟性、平滑性などのコンディショニング効果に優れるとともに、毛髪に弾力性を付与し、また毛髪損傷防止効果及びウェーブ、カールを美しく保つ効果に優れたものである。